(57)【特許請求の範囲】
【請求項１】
熱定着手段の加熱ローラの軸方向センタ位置を中心に対称に左右に振り分けてサイズの異なる搬送用紙が挿通される、いわゆるセンタ給紙を採用している給紙部より給紙された記録材上に坦持させた未定着トナー像の熱定着を行なう前記加熱ローラを含む熱定着手段であって、該前記加熱ローラに内挿された２以上の加熱ヒータと、１以上の定着温度検知センサを具えてなる電子写真装置の定着温度制御方法において、
前記加熱ローラの軸方向一端側の加熱ローラ外周面に配置した温度センサと、
前記加熱ローラを介して温度センサと対面する位置に発熱コイルが位置する第一の加熱ヒータと、前記センタ位置と対応する加熱ローラの中央部位に発熱コイルが位置する第二の加熱ヒータを備え、
前記第一の加熱ヒータは、対面する温度センサの検知温度に基づいて、該検知温度が制御温度以下になるとＯＮし、制御温度以上になるとオフされるように直接オンオフ制御され、一方前記第二の加熱ヒータは前記第一の加熱ヒータと同期してＯＮするとともに、該第一の加熱ヒータのＯＮ時間が所定の判定時間内の場合は、前記第一の加熱ヒータに同期してオフ制御され、前記第一の加熱ヒータのＯＮ時間が所定の判定時間を超えた場合は、前記第一の加熱ヒータのオフ時間より遅延させてオフ制御を行なうことを特徴とする電子写真装置における定着温度制御方法。
【請求項２】
前記温度センサと第一の加熱ヒータの加熱コイルの配設位置が、前記加熱ローラの外周軸方向に沿って流れる排気流による奪熱エネルギの最も大きい加熱ローラの一の側端側であることを特徴とする請求項１記載の電子写真装置における定着温度制御方法。
【請求項３】
発熱コイルの配置位置が前記第一の加熱ヒータの発熱コイルの配置位置の反対側である加熱ローラの軸方向他端側にある第三の加熱ヒータを備え、
前記第三の加熱ヒータは、第一の加熱ヒータのＯＮタイミングに対し遅延してオンし、第一の加熱ヒータのオフタイミングに同期してオフするようにしたことを特徴とする請求項１若しくは２記載の電子写真装置における定着温度制御方法。
【発明の詳細な説明】
【０００１】
【発明の属する技術分野】
本発明は、熱定着手段の加熱ローラの軸方向センタ位置を中心に対称に左右に振り分けてサイズの異なる搬送用紙が挿通される、いわゆるセンタ給紙を採用している給紙部とを具えた複写機、プリンタ、ファックス等の電子写真装置に係り、より具体的には複数の給紙部より選択的に給紙された記録材上に坦持させた未定着トナー像の熱定着を行なう、熱定着手段を有し、該熱定着手段が２以上の加熱ヒータと、１以上の定着温度検知センサを具えてなる電子写真装置の定着温度制御方法に関する。
【０００２】
【従来の技術】
従来より電子写真装置等で形成された未定着トナー像の熱定着を行なう技術として、トナーと接触する熱ローラ方式やシームレスベルトを用いるサーフ方式とともに、トナーと非接触の熱板方式、フラッシュ方式、赤外線ランプ方式、オーブン方式、誘電加熱方式、等が存在するが、熱効率の面でトナー接触方式が主流である。
【０００３】
一方、トナー接触方式、特に熱ローラ方式においては消費電力の軽減を図るために、ローラの熱容量を小さくした薄肉定着ローラ式が多く採用されている。
しかしながら薄肉定着ローラ式の場合、薄肉化によって長手方向の熱の流れが悪化して、例えば非通紙領域等に熱の滞留が起こり、紙幅の小さい紙を連続通紙した場合、非通紙部の温度が過度に上昇し、オフセット現象等が生じやすい。
【０００４】
かかる欠点を解消するために、前記加熱ローラに内挿するヒータの数を２〜数本程度の複数本配列とし、通紙される紙サイズ等によって夫々のヒータの通電制御を行なっていた。
そしてこのような複数のヒータを内挿して通電制御を行なう技術は、薄肉定着ローラ方式のみならず、他の熱ローラ方式、サーフ方式、トナー非接触加熱方式にも適用可能であり、例えば特開昭５７−１４８７７９号は予熱板を用いた熱定着方式であるが、複数の発熱ヒータと第一及び第２の温度制御素子を具え、第一の温度制御素子により熱定着温度を制御し、第２の温度制御素子により用紙幅により生じる温度むらを制御している。
【０００５】
しかしながら二つの温度制御素子が異なる加熱制御を行ないながら、複数のヒータを制御することは制御回路が煩雑化し、且つ誤動作も生じやすい。
【０００６】
又特開昭６２−１２４５８１号においては、定着ローラが転写材への放熱のみならず、周辺部への放熱が多いことに着目して、複数のヒータのうち、一のヒータを前記ローラの両端部に付与する熱量が大になるように配設し、このヒータを他のヒータより遅延してオフするように１つの温度センサで制御してなる技術である。しかしながらかかる技術は、ローラ周辺部への放熱が多いことを前提とした技術であり、例えば手差し給紙部より不定形の記録材が挿通される場合、必ずしも的確な温度分布制御ができない。
【０００７】
即ち、従来よりはがきサイズやレターサイズ若しくは厚紙の記録材のように、給紙カセットに収納されていない規格外の記録材に画像形成を行なうために、手差し給紙部が設けられている。
このような手差し給紙部よりサイズや肉厚の不明な記録材が挿通された場合、定着ローラの奪熱量が多いのか小さいのか不明であり、的確な制御ができない。
例えば特開昭６２−１８９４８８号において、手差し給紙が行なわれた際に、強制的に所定のタイミングで定着装置の熱源に所定時間通電させ、定着装置の熱容量を上げる技術を提案している。
【０００８】
【発明が解決しようとする課題】
しかしながらかかる技術は手差し給紙装置から給紙される記録材の厚さが厚く記録材に吸収される熱量が大きいことを前提としたものであり、このため熱容量が小さい規格外紙を給紙した場合には、定着ローラ温度が無用に高くなり、オフセット等の問題が生じる。
【０００９】
本発明は、かかる課題を解決するために複数の加熱ヒータを用いた場合でも例えば手差し給紙等におけるヒータの加熱制御を精度良く的確に行ない最適な定着温度設定を実現出来る電子写真装置における定着温度制御方法を提供することを目的とする。
本発明の他の目的は、熱容量が不定な規格外記録材を手差し給紙した場合等でも、簡単な制御回路で精度よい温度制御が可能な電子写真装置における熱定着温度制御方法を提供することにある。
【００１０】
【課題を解決するための手段】
かかる課題を解決するために、本発明は、熱定着手段の加熱ローラの軸方向センタ位置を中心に対称に左右に振り分けてサイズの異なる搬送用紙が挿通される、いわゆるセンタ給紙を採用している給紙部より給紙された記録材上に坦持させた未定着トナー像の熱定着を行なう前記加熱ローラを含む熱定着手段であって、該加熱ローラに内挿された２以上の加熱ヒータと、１以上の定着温度検知センサを具えてなる電子写真装置の定着温度制御方法において、
前記加熱ローラの軸方向一端側の加熱ローラ外周面に配置した温度センサと、
前記加熱ローラを介して温度センサと対面する位置に発熱コイルが位置する第一の加熱ヒータと、
前記センタ位置と対応する加熱ローラの中央部位に発熱コイルが位置する第二の加熱ヒータを備え、
前記第一の加熱ヒータは、対面する温度センサの検知温度に基づいて、該検知温度が制御温度以下になるとＯＮし、制御温度以上になるとオフされるように直接オンオフ制御され、一方前記第二の加熱ヒータは前記第一の加熱ヒータと同期してＯＮするとともに、該第一の加熱ヒータのＯＮ時間が所定の判定時間内の場合は、前記第一の加熱ヒータに同期してオフ制御され、前記第一の加熱ヒータのＯＮ時間が所定の判定時間を超えた場合は、前記第一の加熱ヒータのオフ時間より遅延させてオフ制御を行なうことを特徴とする。
この場合に具体的には、前記温度センサと第一の加熱ヒータの加熱コイルの配設位置が、前記加熱ローラの外周軸方向に沿って流れる排気流による奪熱エネルギの最も大きい加熱ローラの一の側端側であるのがよく、
又更に好ましくは、前記発熱コイルの配置位置が前記第一の加熱ヒータの発熱コイルの配置位置の反対側である加熱ローラの軸方向他端側にある第三の加熱ヒータを備え、
前記第三の加熱ヒータは、第一の加熱ヒータのＯＮタイミングに対し遅延してオンし、第一の加熱ヒータのオフタイミングに同期してオフするようにしたことを特徴とする。
【００１１】
かかる発明によれば、前記温度センサに基づいて点灯時間の設定がなされる第一の加熱ヒータは、定着動作中は挿通される記録材の熱容量に比例して点灯時間が長くなる。従って手差し給紙される記録材の熱容量が不定であっても、点灯時間から判定すれば容易に前記熱容量を判別でき、記録材サイズが特定できない手差し給紙時において、第一の加熱ヒータの点灯時間の長さにより、第二の加熱ヒータや第三の加熱ヒータ（両者を含めた総称として副ヒータという）の点灯パターンを設定すれば、手差し給紙におけるヒータの加熱制御を精度良く的確に行ない最適な定着温度設定を実現出来る。
【００１２】
【００１３】
又、第二の加熱ヒータの点灯オフ時期については、第一の加熱ヒータの点灯時間と、所定の判定時間とを比較して、その判定結果に基づいて点灯オフ時期を設定するのがよい。
即ち、具体的に説明するに、例えば１つの温度検知センサが、第一の加熱ヒータに近接して配置されている場合を想定し、そして第二の加熱ヒータが手差し給紙の場合に第一の加熱ヒータより奪熱量が大きい位置に配設している場合を想定すると、例えば手差し給紙により厚紙の記録材を挿通した場合、第一の加熱ヒータの点灯時間に同期させると、夫々副ヒータの熱量が足らない場合がある。このような場合は第一の加熱ヒータの点灯時間も長い。
一方、手差し給紙であっても小サイズの記録材を挿通する場合のように、第一の加熱ヒータの点灯時間が短い通常の温度制御の場合には、副ヒータの点灯時間を第一の加熱ヒータのそれに同期させるのが均一な熱分布を図る上で、好ましい。
従って副ヒータの点灯時間は、第一の加熱ヒータの点灯時間が所定の判定時間より長い場合は、第一の加熱ヒータの点灯時間より第二の加熱ヒータの点灯時間を増加させる。一方、第一の加熱ヒータの点灯時間が所定の判定時間以内にあるときには同期させて点灯制御させるのがよい。
【００１４】
又前記第一の加熱ヒータと副ヒータの温度分布の偏差は必ずしも一定ではなく、定着温度立ち上げ時、季節差による環境温度の違い、連続通紙か間欠通紙等の違い等によって異なる。
そして前記手差し給紙であっても定着温度立ち上げ時、冬期における定着、連続通紙の記録材を印字定着する場合には前記偏差は大きくなりやすく、この場合は前記判定時間を短くし、副ヒータの点灯時間を第一の加熱ヒータの点灯時間より増加させる頻度を大きくする。
【００１５】
一方、通常定着時、夏期における定着、間欠通紙の記録紙を印字定着する場合には前記偏差は小さくなりやすく、この場合は前記判定時間を長くして、副ヒータの点灯時間を第一の加熱ヒータの点灯時間より減少（増加）させる頻度を大きくする。これによりいっそう精度よい、軸方向に均等分布の加熱制御が可能となるとともに、前記請求項２と請求項４記載の発明を組み合わせることにより、副ヒータの点灯オン時期とオフ時期の両者の制御が可能である。
【００１６】
従って本発明によれば、単にヒータの時間管理のみであるために、ハード的にもソフト的にもその制御が容易で誤動作が生じる余地がない。従って本発明によれば、熱容量が不定な規格外記録材を手差し給紙した場合でも、簡単な制御回路やソフト制御で精度よい温度制御が可能である。
【００１７】
【発明の実施の形態】
以下、図面を参照して本発明の好適な実施形態を例示的に詳しく説明する。但しこの実施形態に記載されている構成部品の種類、回路、その相対的配置及び動作順序等は特に特定的な記載がないかぎりは、この発明の範囲をそれに限定する趣旨ではなく、単なる説明例にすぎない。
【００１８】
図１は本発明に適用される薄肉定着方式の熱定着ローラを組み込んだ電子写真装置で、（Ａ）はその要部概略断面図、（Ｂ）は加熱ローラ２の内部構造を示す縦断面図である。
図１において１は加圧ローラで、ローラ軸１ａの外周に低硬度の加圧ゴム層１ｂを巻回させて形成している。２は加熱ローラで、炭素鋼からなる薄肉ローラ部材２ａの外周面にフッ素コート若しくは薄膜のシリコンゴム層２ｂを被覆して形成している。又該定着装置は加熱ローラ２のセンタを中心に対称に左右に振り分けてサイズの異なる搬送用紙が挿通されるいわゆるセンタ通紙を採用しており、このため前記加熱ローラ２に内挿される加熱ヒータ３、４、５も、図上右側、中央部及び左両側に夫々発熱コイル３ａ、４ａ、５ａを位置せしめたハロゲンランプからなる加熱ヒータＡ（３）と加熱ヒータＢ（４）、及びＣ（５）が計３本挿設されている。
【００１９】
即ち、前記３本の加熱ヒータＡ（３）、Ｂ（４）、Ｃ（５）はローラ中心軸の周囲に対称かつ軸方向に平行に並設されているとともに、第一の加熱ヒータＡ（３）の発熱コイル３ａは図上右側に、又第二の加熱ヒータＢ（４）の発熱コイル４ａは中央部位に、更に加熱ヒータＣ（５）の発熱コイル５ａは図上左側に位置させて、後記する温度制御の容易化を図っている。尚、第三の加熱ヒータＣ（５）の発熱コイル５ａは（図上左側）巻数が少なく、右側の第一の加熱ヒータＡ（３）の発熱コイル３ａは巻数が多いのは、加熱ローラ２の図上左側に排気ファン９を設けているために、図上右側の発熱コイル３ａの方が排気流に沿って奪熱される奪熱エネルギが大きいことによる。
【００２０】
そして本実施形態においては前記排気流による奪熱エネルギの最も大きい図上右側の発熱コイル３ａと対面する、加熱ローラ２外周面右側端側にサーミスタその他の温度センサ８を配置している。従って該温度センサ８は加熱ローラ２を介して対面する第一の加熱ヒータＡ（３）について直接オンオフ制御を行なうように構成し、一方加熱ヒータＢ（４），Ｃ（５）は前記第一の加熱ヒータＡ（３）の点灯時間に同期、若しくは必要に応じて遅延させてオンオフ制御を行なっている。尚、図中６は未定着トナー像で記録材７上に坦持されている。
【００２１】
そして本実施形態においては、前記定着装置の上流側の記録材搬送路上に沿って感光体ドラム１１と転写ローラ１２が、更にその入り口側にレジストローラ１３とレジストセンサ１４が、そしてレジストセンサ１４上流側の給紙路は上下に２つに分岐され、一の給紙路は給紙カセット１７に収納された定型普通紙が給紙ローラ１６の駆動回転によりレジストローラ１３入口に導くカセット給紙路として機能し、一方他の給紙路は手差し給紙板２０により収納された規格外紙が給紙ローラ１９の駆動回転によりレジストローラ１３入口に導く手差し給紙路として機能し、夫々の給紙路上には給紙センサ１５，１８が設けられており、給紙種別を判別できる。又レジストセンサ１４は、レジストローラ１３入口端に到達した記録材７の始端とレジストローラ１３を通過後の記録材７の後端が検知され、その通過時間をＣＰＵ２１（後記）で検知することにより記録材７の長さ検知が可能となる。
【００２２】
次に、本実施形態の動作を図２を用いて詳細に説明する。
図２は、手差し給紙の場合の加熱ローラ２の表面温度分布と加熱ヒータＡ（３）、Ｂ（４）、Ｃ（５）の点灯時間を制御している状態を示すタイムチャート図である。
図２において、第一の加熱ヒータＡ（３）は、温度センサ８からの信号により、加熱ローラ２の表面温度が、制御温度Ｔ0以下になるとＯＮになるように制御されている。ヒータＡ（３）のＯＮタイミングに対し、第二の加熱ヒータＢ（４）が同期してオンした後、第一の加熱ヒータＡ（３）の点灯時間ＴAが所定の判定時間Ｔｓ１を越えたか否かを判定し、該所定の判定時間Ｔｓ１より長い場合には、追加点灯時間Ｔｐだけ第二の加熱ヒータＢ（４）の点灯時間（ＴＢ＝ＴＡ＋Ｔｐ）が長くなる。
【００２３】
第三の加熱ヒータＣ（５）は、ヒータＡ（３）のＯＮタイミングに対し遅延してオンし、即ち、第三の加熱ヒータＣ（５）は第一の加熱ヒータＡ（３）の点灯時間ＴAが所定の判定時間Ｔｓ２を越えたか否かを判定し、該所定の判定時間Ｔｓ２より長い場合にのみオンし、短い場合はオンしない、従って第三の加熱ヒータＣ（５）の点灯時間（ＴＣ＝ＴＡ−Ｔｓ２）となり、ヒータＡ（３）のオフタイミングに同期してオフする。
【００２４】
かかる点を図４に示すフローチャート図に基づいて説明する。
（Ｓ１）により、例えば図１に示す手差し給紙センサ１８で手差し定着か否か検知し、手差し定着の場合は（Ｓ２）に移行し、そして第一の加熱ヒータＡ（３）は、温度センサ８からの信号により、加熱ヒータ２の表面温度が、制御温度Ｔｃ以下になるとＯＮになる。そして前記ヒータＡ（３）のＯＮタイミングに同期して（Ｓ３）にて第二の加熱ヒータＢ（４）がオンし、更に（Ｓ４）にて第一の加熱ヒータＡ（３）の点灯時間ＴAが所定の判定時間Ｔｓ２を越えたか否かを判定し第一の加熱ヒータＡ（３）の点灯時間（ＴＡ）が判定時間（Ｔｓ２）を越えた時点で、第三の加熱ヒータＣ（５）をオンにし、越えない場合は第三の加熱ヒータＣ（５）はオフ状態のままにする（Ｓ５）。
更に（Ｓ６）にて第一の加熱ヒータＡ（３）の点灯時間ＴAが所定の判定時間Ｔｓ１を越えたか否かを判定し、該所定の判定時間Ｔｓ１より長い場合には、第一の加熱ヒータＡ（３）がオフ（Ｓ７）した後、追加点灯時間Ｔｐ設定用のタイマをオンし（Ｓ９）、第二の加熱ヒータＢ（４）の点灯時間（ＴＢ）が（ＴＡ＋Ｔｐ）を越えた時点で（Ｓ１０）、第二の加熱ヒータＢ（４）をオフにする（Ｓ１１）。尚第三の加熱ヒータＣ（５）のオフは、第一の加熱ヒータＡ（３）がオフ（Ｓ７）したと同時にオフされる（Ｓ８）。
【００２５】
一方、第一の加熱ヒータＡ（３）の点灯時間ＴＡが判定時間Ｔｓ１より短い場合には、追加点灯時間Ｔｐ設定用のタイマをオンすることなく、第一の加熱ヒータＡ（３）のオフ動作（Ｓ７’）に同期して、加熱ヒータＢ（４）及びＣ（５）を同時にオフにする（Ｓ８’）（Ｓ１１’）。
【００２６】
次に具体的な試作機における実験結果を示す。線速が１００ｍｍ／秒である図１に示す電子写真方式プリンタを開発した。実験の結果を図３（Ｂ）に示す。評価方法として常温常湿下において手差し給紙によりレターサイズとはがきサイズの普通紙を横通紙にて画像定着したときの安定時における加熱ローラの表面温度を測定した。
【００２７】
そして第二の加熱ヒータＢ（４）の判定時間Ｔｓ１を６秒、第三の加熱ヒータＣ（５）の判定時間Ｔｓ２を２秒、追加点灯時間Ｔｐを３秒とした。また、（Ａ）に示すように、第二の加熱ヒータＢ（４）は判定時間Ｔｓ１（６秒）より長い時に時間Ｔpだけ追加点灯させる。また、第三の加熱ヒータＣ（５）は、点灯タイミングを第一の加熱ヒータＡ（３）よりＴｓ２（２秒）遅らせることにより、判定時間Ｔｓ２より短い時にはヒータを点灯しないようにした。また、定着装置に対して、第三の加熱ヒータＣ側に排熱ファン９があるため、第１の加熱ヒータＡ（３）側から第三の加熱ヒータＣ（５）側へ各加熱ヒータにより温度上昇した空気が排出されるため、定着される用紙が少なく、少量の熱量しか奪われない間欠印字時において、特に第三の加熱ヒータＣ（５）側で高温の空気がこもり、定着温度が上昇しやすい。
【００２８】
そしてレターサイズを横送りにて手差し給紙部より連続通紙定着する場合は加熱ローラ全幅近く通紙されるために第三の加熱ヒータＣ（５）側で高温の空気がこもることはないが、一方ではセンタ通紙であるために、第二の加熱ヒータＢ（４）部分の奪熱が大きい。このような場合、従来のようにヒータＡ（３）の点灯時間に同期して、ヒータＢ（４）、Ｃ（５）の点灯時間を設定すると、（Ｂ）に示すように、センタ部のヒータＢ（４）部分の奪熱が大きいためにその部分の定着温度が１７５℃と低下し、定着不足が生じる。このような場合第一の加熱ヒータＡが温度検出器８により１８０℃に制御されている印字時において、ヒータＢ（４）がヒータＡ（３）の点灯時間が６秒以上の場合に３秒長く追加点灯するため、適当な１８５℃の温度で制御することが可能となる。
【００２９】
また、はがきサイズの普通紙の場合、レジストセンサで後端検知後手差し給紙されるために、給紙間隔が長く実質的に間欠印字動作になる。この場合には用紙の印字頻度が大きく減少することにより、奪われる熱量が減少する上、用紙の定着時以外に点灯する頻度が多くなるため、ヒータＡ（３）の点灯時間は非常に短くなる。そのため、本発明による制御では、ヒータＣ（５）の点灯時間がヒータＡより非常に短くなるか、もしくは点灯しないため、上記したような、間欠印字時のヒータＣ（５）側の熱こもりに起因する従来技術のような２００℃という異常温度上昇が発生せず、ヒータＣ（５）の温度が１７５℃に維持できる。
尚、通常のカセット給紙の場合でも電源ＯＮ直後のように、定着装置が十分加熱されていない条件では、加圧ローラや周辺へ多くの熱量が奪われるため、第一の加熱ヒータＡ（３）の点灯時間は６秒より大きくなり、このような場合においても第二の加熱ヒータＢの点灯時間は３秒追加点灯するのがよく、これにより加熱ローラのセンター部において熱量が不足することはない。
【００３０】
さて不特定の用紙サイズが使用される手差し給紙においては、幅広い用紙長が考慮されるため、用紙間の間隔は大きくなり、印字速度も大きく低下する場合がある。このような場合、前記判定時間を緻密に可変可能に制御すればいっそう最適な温度分布を実現できる。
【００３１】
このような場合、図４に付加されている前記判定時間を可変可能に構成する技術を使用すればよい。前記判定時間Ｔｓ１、Ｔｓ２は電子写真装置内に設けたレジストセンサ１４等の信号をＣＰＵ２１に取り込んで、前記各種センサ１４〜１６等の測定値に基づいてＣＰＵ２１側で所定の判定条件を演算し、メモリマップ２２等より前記判定条件に基づく判定時間を選択する。例えばレジストセンサ１４の記録材のサイズ検知及び定着間隔等に基づいて判定時間Ｔｓ１、Ｔｓ２を異ならせるか若しくはヒータＣ（５）については判定させない等の制御を行なうことができる。
【００３２】
かかる動作を図５のフローチャート図に基づいて説明する。まず、手差し給紙センサ１８に基づいて手差しか否かを（Ｓ２０）で判断して手差しの場合は、（Ｓ２１）に移行する。（Ｓ２１）ではまずレジストがオンした時点をレジストセンサ１４等で検知し、その後記録材後端がレジストセンサ１４を通過するまでの時間、又は次の記録材がレジストされるまでの時間（通紙間隔時間）をＣＰＵ２１で検知し（Ｓ２２）、例えば記録材長さが２５ｃｍ以上の場合（Ｓ２３）は、ヒータＢ（４）を追加点灯させる判定時間Ｔs1を５秒、１５〜２５ｃｍの場合は判定時間Ｔs1を６秒、１５ｃｍ以下の場合は判定時間Ｔs1を７秒に設定している（Ｓ２４）。即ち、大サイズの用紙を定着する場合は中央の熱負荷の偏在が余り大きくなることがないために、前記判定時間を５→６→７秒と緩和させている。
尚、第三の加熱ヒータＣ（５）の遅延判定時間Ｔｓ２も同様に可変できる。
【００３３】
【発明の効果】
以上の説明から明らかなように、本発明によれば、複数の加熱ヒータを用いた場合でも手差し給紙等におけるヒータの加熱制御を精度良く的確に行ない最適な定着温度設定を実現出来るとともに、特に熱容量が不定な規格外記録材を手差し給紙した場合等でも、簡単な制御回路やソフト制御で精度よい温度制御が可能な電子写真装置における熱定着温度制御方法を提供することができる。
【図面の簡単な説明】
【図１】  本発明に適用される薄肉定着方式の電子写真装置で、（Ａ）はその要部概略断面図、（Ｂ）は加熱ローラの内部構造を示す縦断面図である。
【図２】  請求項１記載の発明における複数ヒータによる各ヒータの点灯制御パターンの例を表したグラフ図である。
【図３】  具体的な電子写真プリンタにおける図２の実施形態による温度上昇の実験結果を表した表図である。
【図４】  本発明の全体動作手順を示すフローチャート図である。
【図５】  判定時間を可変可能に制御するサブルーチン手順を示すフローチャート図である。
【符号の説明】
１  加圧ローラ
２  加熱ローラ
３  第一の加熱ヒータＡ
４  第二の加熱ヒータＢ
５  第三の加熱ヒータＣ
６  未定着トナー像
７  未定着記録材
８  温度センサ
１１  感光体ドラム
１２  転写ローラ
１３  レジストローラ
１４  レジストセンサ
１５，１８  給紙センサ
１９  給紙ローラ
２０  手差し給紙板
２１  ＣＰＵ
【図１】
0003789049.tif 000002
【図２】
0003789049.tif 000003
【図３】
0003789049.tif 000004
【図４】
0003789049.tif 000005
【図５】
0003789049.tif 000006